(57)【要約】本発明は、機器内でフィルムをガイドするための装置に関するものであり、フィルムの２つの側縁部に係合するガイド及び駆動手段を備え、前記ガイド及び駆動手段がさらに機器の画像処理区域内で前記フィルムを湾曲軌道に従って進行させるように構成され、前記フィルムのガイド及び駆動手段が、前記フィルムをその両縁部によって架け渡すようにする同軸の２つのローラ（４ａ）と、予め規定された角度を有する円弧に沿って、２つのローラ側とは反対側で前記両縁部をそれぞれ支えるようにする平行な２つの駆動ベルト（８ａ）とを備えている。本発明は、スキャン分析装置のような光電子機器内でフィルムをガイドするために有効である。
2005516876.tif 000002
【特許請求の範囲】
【請求項１】
フィルム（３）の２つの側縁部に係合するガイド及び駆動手段を備え、
これらガイド及び駆動手段はさらに光電子機器の画像処理区域内で前記フィルムを湾曲軌道に従って進行させるように構成され、
前記フィルムのガイド及び駆動手段が、前記フィルム３をその両縁部で支える同軸の相互に独立した２つのローラ（４ａ）と、中心に対して予め規定された角度を有する円弧に沿って、前記２つのローラ側とは反対側で前記両縁部をそれぞれ支える平行な２つの駆動ベルト（８ａ）とを備えていることを特徴とするフィルムガイド装置。
【請求項２】
請求項１に記載のフィルムガイド装置であって、
平行な２つのプレート（１ａ，１ｂ）を備えていることを特徴とするフィルムガイド装置。
【請求項３】
請求項２に記載のフィルムガイド装置であって、
前記２つのプレートが、複数の交差部材（２ａ，２ｂ，２ｃ）によって隔てられていることを特徴とするフィルムガイド装置。
【請求項４】
請求項１に記載のフィルムガイド装置であって、
前記同軸の２つのローラ（４ａ）が、平行とされ、かつ、回転するように取り付けられていることを特徴とするフィルムガイド装置。
【請求項５】
請求項１または請求項２に記載のフィルムガイド装置であって、
光線が、前記２つのプレート（１ａ，１ｂ）と一体とされたパネル（７）に形成されたスロット（７）を通して前記画像処理区域に伝えられることを特徴とするフィルムガイド装置。
【請求項６】
請求項１に記載のフィルムガイド装置であって、
前記２つのベルト（８ａ）が、これらを同期する状態で移動させるための手段を有していることを特徴とするフィルムガイド装置。
【請求項７】
請求項６に記載のフィルムガイド装置であって、
前記２つのベルト（８ａ）が、前記フィルム側とは反対側の側面に刻み目を有していることを特徴とするフィルムガイド装置。
【請求項８】
請求項７に記載のフィルムガイド装置であって、
前記２つのベルト（８ａ）が、モータ（１１）によって駆動される同軸の２つの刻み目付きプーリ（９ａ，９ｂ）によって駆動されることを特徴とするフィルムガイド装置。
【請求項９】
請求項７に記載のフィルムガイド装置であって、
前記２つのベルト（８ａ）の張力及び配置が、複数のローラ（１３ａ，１３ｂ，１３ｃ）によって与えられることを特徴とするフィルムガイド装置。
【請求項１０】
請求項１に記載のフィルムガイド装置であって、
回転するように取り付けられた鼓型こま（diabolo）形状のローラ（１５）を有する巻き取り手段を備えていることを特徴とするフィルムガイド装置。
【請求項１１】
請求項１０に記載のフィルムガイド装置であって、
前記ローラ（１５）が、前記フィルムの巻き取り厚みに依存する移動手段（１７，１８ａ，１９ａ）を有していることを特徴とするフィルムガイド装置。
【請求項１２】
請求項１に記載のフィルムガイド装置であって、
前記フィルムの存在を検出するための装置を備えていることを特徴とするフィルムガイド装置。
【発明の詳細な説明】
【技術分野】
【０００１】
本発明は、機器内でフィルムをガイドするための装置に関する。本発明はとくに、限定されないが、スキャン分析装置のような光電子機器内でフィルムをガイドするために用いられる。
【背景技術】
【０００２】
一般に、ビューアー内でフィルムをガイドすることは以下の理由によって多くの問題を引き起こすことが知られている。
・巻かれていない状態でのフィルムが凸形状を有している（フィルムの長手軸線に対し垂直な平面で湾曲している）。現在、画像処理が実行される区域において、フィルムが前記平面において直線状であるべきことが望ましいと証明されている。
・フィルムの駆動がその幅全体に亘って一定とされていなければならない。もし、そうでない場合、フィルムの進行スピードがフィルムの一方の縁部から他方の縁部までにおいて変化することになり、フィルムがその両側縁部のうちの一方に向かって駆動されて歪んでしまうことがある（詰まりの危険性もある）。
・受け取りスプールでの駆動が、ストリップの進行スピードが一定ではなく受け取りスプールの巻き取り量に応じて変化する、という解決困難な問題を引き起こす。
・フィルムを駆動及びガイドするための円柱状の複数のローラの使用が、このローラによってフィルムを傷つけてしまう危険性を生じさせる。
・画像処理区域を複数のローラに干渉しないスペースに形成しなければならず、機器の大きさを増大させる。
【発明の開示】
【発明が解決しようとする課題】
【０００３】
したがって、本発明の目的は、画像処理区域内でフィルムの直線状部分を存在させることにより、また、独立した進行スピードでフィルムの幅全体に亘って一定の状態でフィルムを駆動することにより、また、分析されるフィルムの損傷のすべての危険性を除去することにより、これらの不具合を除去し、かつ、これらの問題を解決することである。
【課題を解決するための手段】
【０００４】
この目的のため、本発明は、フィルムの２つの側縁部に係合するガイド及び駆動手段を備え、これらガイド及び駆動手段がさらに機器の画像処理区域内でフィルムを湾曲軌道に従って進行させるように構成された、スキャン分析装置のような光電子機器のフィルムガイド装置を提供する。これらの構成により、画像処理区域内でフィルムの直線状の交差区域を得るために、フィルムの機械的な特性が活用される。
【０００５】
有利には、フィルムのガイド及び駆動手段が、フィルムをその両縁部で支える同軸の２つのローラと、中心に対して予め規定された角度を有する円弧に沿って、２つのローラ側とは反対側でフィルムの前記両縁部をそれぞれ支える平行な２つの駆動ベルトとを備えるようにすることができる。
【発明の効果】
【０００６】
このように、ガイド及び駆動がフィルムへの危険性なしに実行される。これを実現するのは、モータで駆動され、フィルムを一定のスピードで進行させる従来装置のローラとは異なるこれらのベルトである。
【発明を実施するための最良の形態】
【０００７】
本発明の１つの実施形態を、この例に限定されることはないが、添付された図面を参照しながら以下に記載する。
【０００８】
この例において、装置の構造は、平行な２つの金属製プレート１ａ，１ｂを備えており、これらプレート１ａ，１ｂは、それらの上側面に沿って配置された３つの交差部材２ａ，２ｂ，２ｃによって隔てられている。これら種々の部材は、フィルム３をガイドするための装置における剛体の部品アッセンブリを構成している。２つの金属製プレート１ａ，１ｂを隔てる距離は、分析されるフィルム３の幅よりもわずかに大きくなっている。
【０００９】
本発明による装置は、フィルムをガイドする手段と、フィルムを駆動する手段と、フィルムを巻き取る手段と、フィルムの存在を検出するための装置とを備えている。
【００１０】
フィルム３をガイドするための装置は、画像処理区域内に、同軸の平行な２つのローラ（そのうちの１つが符号４ａで示されている）を備えており、これら２つのローラは、ボールベアリングによって回転するとともに複数のバックプレート（その２つが符号５ａ，６ａで示されている）で支持されるように取り付けられている。フィルム３の２つの側縁部は、フィルムが円形軌道に従うような円弧に沿って、これら２つのローラでそれぞれ支えられている。このように、この円形軌道に沿うことにより、フィルムは直線状の母線を有する円柱形状を呈する。この配置は、画像処理区域内で直線状の横断区域を得ることを可能にしている。この横断区域と直交してスロットが設けられている。このスロットは、両プレート１ａ，１ｂと一体とされたパネル７に形成され、かつ、フィルムを通過する光線を伝えるための長方形状のスペースを形成している。
【００１１】
フィルム３を駆動するための装置は、同期して移動するとともに前記円形軌道の部分においてフィルム３の２つの側縁部をそれぞれ支える平行な２つのベルト８ａを備えている。このようにして、フィルムの２つの側縁部を摩擦駆動し、これら２つの縁部同士の間でのスピードの変化のあらゆる可能性を除去する。２つのベルト（そのうちの１つのみが符号８ａで示されている）は、フィルム３から離れた側を向いた側面に刻み目を有しており、２つのベルトの駆動が、共通の軸１０が電気モータ１１によって駆動される同軸の２つの刻み目付きプーリ９ａ，９ｂと自由に動く２つの刻み目なしプーリ（そのうちの１つのみが符号１２ａで示されている）とによって実行される。これら２つのベルト８ａ，８ｂの張力及び配置は、複数のローラ（そのうちの１つの組のみが符号１３ａ，１３ｂ，１３ｃで示されている）によって与えられる。
【００１２】
フィルム３を巻き取るための装置は、バネの付勢力で複数のローラの軸と平行なスピンドル１６に関して回転するように取り付けられた鼓型こま（diabolo）形状のローラ１５から構成されている。このスピンドルは、ローラ１５へのフィルム３の巻き取り厚みに応じて移動するよう、長円形の開口部１７に沿って移動することができるようにガイドされている。長円形の開口部１７の長軸は、フィルムの２つの縁部上に接触する２つのベルトが含まれる平面に対して直角に定められている（付与される力は長円形の穴１７の長軸方向に一致するものとなる）。２組のアーム（そのうちの１つのみが符号１８ａ，１９ａで示されている）は、鼓型こま形状のローラ１５へのフィルムの導入あるいはローラ１５からのフィルムの引き抜きの間、フィルムをガイドする。複数のアームは、ヒンジ結合されている。自身がいかなる駆動手段も有していないディアボロの角速度は、フィルム３の巻き取り量に依存していることに注意すべきである。
【００１３】
フィルムの導入区域は、光発生器２０及び光受容器２１の組を有する、フィルム３の存在を検出するための装置を備えている。
【図面の簡単な説明】
【００１４】
【図１】フィルムガイド装置の構成要素の配置を示す側面図である。
【図２】図１のＡ−Ａ線断面図である。
【図３】図１の部分透視図である。
【符号の説明】
【００１５】
１ａ，１ｂ  プレート
２ａ，２ｂ，２ｃ  交差部材
３  フィルム
４ａ  ローラ
７  パネル
８ａ  ベルト
９ａ，９ｂ  プーリ
１１  モータ
１３ａ，１３ｂ，１３ｃ  ローラ
１５  ローラ
１７  開口部
１８ａ，１９ａ  アーム
【図１】
2005516876.tif 000003
【図２】
2005516876.tif 000004
【図３】
2005516876.tif 000005
【国際調査報告】
2005516876.tif 000006
2005516876.tif 000007
2005516876.tif 000008
2005516876.tif 000009